(57)【要約】【課題】露光器の退避に要する部品が抑えられた画像形成装置を提供する。【解決手段】各々の表面に像が形成されて該像を各々が保持する複数の像保持体と、上記複数の像保持体それぞれに対応付けられて設けられ、対応する像保持体の表面を各々が露光する複数の露光器と、上記複数の露光器のいずれを相手としても着脱自在で、装着された相手の露光器を、上記像保持体を露光する露光位置から、その像保持体との距離が露光位置よりも大きい退避位置まで退避させる退避器具が挿入される、それら複数の露光器に各々対応付けられて設けられた複数の挿入箇所と、を備える。【選択図】図５
2015013377.tif 000002
【特許請求の範囲】
【請求項１】
各々の表面に像が形成されて該像を各々が保持する複数の像保持体と、
前記複数の像保持体それぞれに対応付けられて設けられ、対応する像保持体の表面を各々が露光する複数の露光器と、
前記複数の露光器のいずれを相手としても着脱自在で、装着された相手の露光器を、前記像保持体を露光する露光位置から、該像保持体との距離が該露光位置よりも大きい退避位置まで退避させる退避器具が挿入される、該複数の露光器に各々対応付けられて設けられた複数の挿入箇所と、
を備えたことを特徴とする画像形成装置。
【請求項２】
前記退避器具を、前記露光器の数よりも少ない数だけ備えたことを特徴とする請求項１記載の画像形成装置。
【請求項３】
前記露光器を前記退避位置から前記露光位置へと付勢する付勢部材を備え、
前記退避器具が、前記挿入箇所に挿入されるのに伴って前記露光器を前記付勢部材の付勢力に逆らって前記退避位置へと退避させる部材であることを特徴とする請求項２記載の画像形成装置。
【請求項４】
前記退避器具が、前記露光器を前記退避位置へと退避させる機械的な機構を有し、前記挿入箇所に挿入された後に該機構を操作されるものであることを特徴とする請求項２記載の画像形成装置。
【発明の詳細な説明】
【技術分野】
【０００１】
本発明は、画像形成装置装置に関する。
【背景技術】
【０００２】
従来、ＬＥＤで感光体表面を露光するタイプの画像形成装置が知られている。
【０００３】
例えば特許文献１には、露光位置と退避位置との間で移動可能であり、複数の発光部が配列されて感光ドラムを露光する複数のＬＥＤユニットを備えた画像形成装置が開示されている。
【０００４】
また、例えば特許文献２には、ＬＥＤプリントヘッド（ＬＰＨ）を、感光体ドラムを露光する露光位置まで進出させ、また、ＬＰＨを、この露光位置よりも感光体ドラムから離隔した退避位置に退避させる進退機構を各画像形成ユニットに備えた画像形成装置が開示されている。
【先行技術文献】
【特許文献】
【０００５】
【特許文献１】特開２００９−１７５４１６号公報
【特許文献２】特開２０１１−０２０４１４号公報
【発明の概要】
【発明が解決しようとする課題】
【０００６】
本発明は、露光器の退避に要する部品が抑えられた画像形成装置を提供することを目的とする。
【課題を解決するための手段】
【０００７】
請求項１に係る画像形成装置は、
各々の表面に像が形成されて該像を各々が保持する複数の像保持体と、
上記複数の像保持体それぞれに対応付けられて設けられ、対応する像保持体の表面を各々が露光する複数の露光器と、
上記複数の露光器のいずれを相手としても着脱自在で、装着された相手の露光器を、上記像保持体を露光する露光位置から、その像保持体との距離が露光位置よりも大きい退避位置まで退避させる退避器具が挿入される、それら複数の露光器に各々対応付けられて設けられた複数の挿入箇所と、
を備えたことを特徴とする。
【０００８】
請求項２に係る画像形成装置は、請求項１に係る画像形成装置に更に、
上記退避器具を、上記露光器の数よりも少ない数だけ備えたことを特徴とする。
【０００９】
請求項３に係る画像形成装置は、請求項２に係る画像形成装置に更に、
上記露光器を上記退避位置から上記露光位置へと付勢する付勢部材を備え、
上記退避器具が、上記挿入箇所に挿入されるのに伴って上記露光器を上記付勢部材の付勢力に逆らって上記退避位置へと退避させる部材であることを特徴とする。
【００１０】
請求項４に係る画像形成装置は、
上記退避器具が、上記露光器を上記退避位置へと退避させる機械的な機構を有し、上記挿入箇所に挿入された後にその機構を操作されるものであることを特徴とする。
【発明の効果】
【００１１】
請求項１に係る画像形成装置によれば、本構成を有しない場合に較べ、露光器の退避に要する部品が抑えられる。
【００１２】
請求項２に係る画像形成装置によれば、退避器具を備えない場合に較べ、利便性が高い。
【００１３】
請求項３に係る画像形成装置によれば、本構成を有しない場合に較べ、退避器具の構成が簡素化できる。
【００１４】
請求項４に係る画像形成装置によれば、本構成を有しない場合に較べ、退避動作の確実性が高い。
【図面の簡単な説明】
【００１５】
【図１】画像形成装置の第１実施形態に相当するプリンタの概略構成図である。
【図２】ＬＰＨの構造を示した断面図である。
【図３】進退動作部の周辺構造を拡大して示した拡大図である。
【図４】挿入箇所に退避キーが挿入された状態の正面図である。
【図５】挿入箇所に退避キーが挿入された状態の側面図である。
【図６】ＬＰＨが退避した状態の正面図である。
【図７】ＬＰＨが退避した状態の側面図である。
【図８】第２実施形態における進退動作部を示す図である。
【発明を実施するための形態】
【００１６】
本発明の画像形成装置に対する具体的な実施形態を、以下図面を参照して説明する。
【００１７】
図１は、画像形成装置の第１実施形態に相当するプリンタの概略構成図である。
【００１８】
図１に示すプリンタ１は、所謂タンデム型のカラープリンタであり、各色の画像データに対応して画像形成を行う画像形成プロセス部１０と、プリンタ１全体の動作を制御する制御部３０と、例えばパーソナルコンピュータ（ＰＣ）３や画像読取装置４等といった外部装置に接続されてこれらから受信される画像データに対して画像処理を施す画像処理部３５と、各部に電力を供給する主電源３６とを備えている。
【００１９】
画像形成プロセス部１０には、一定の間隔を置いて並列的に配置された４つの画像形成ユニット１１Ｙ、１１Ｍ、１１Ｃ、１１Ｋ（以下、総称して単に「画像形成ユニット１１」とも称する）が備えられている。各画像形成ユニット１１は、表面に静電潜像やトナー像が形成される感光体ドラム１２と、感光体ドラム１２の表面を帯電させる帯電器１３と、感光体ドラム１２の表面を画像データに基づいて露光するＬＥＤプリントヘッド（ＬＰＨ）１４と、感光体ドラム１２上に形成された静電潜像を現像する現像器１５と、転写後の感光体ドラム１２表面を清掃するクリーナ１６を備えている。なお、本実施形態における感光体ドラム１２は、図１では図示が省略された回転軸を備え、その軸方向がプリンタ１のフロント側（図中手前側）からリア側（図中奥側）に向くように配置されている。
【００２０】
感光体ドラム１２が、本発明にいう像保持体の一例に相当し、ＬＰＨ１４が本発明にいう露光器の一例に相当する。
【００２１】
ここで、各画像形成ユニット１１において、感光体ドラム１２、帯電器１３およびクリーナ１６は、一体化されたモジュール（以下、感光体モジュールＰＭと称する）となっている。そして、感光体モジュールＰＭはプリンタ１に対して着脱自在で、感光体ドラム１２の寿命等に応じて交換される。なお、感光体モジュールＰＭは、帯電器１３やクリーナ１６を含まない感光体ドラム１２のみのモジュールを採用してもよいし、帯電器１３やクリーナ１６に加えさらに現像器１５を一体化したモジュールを採用してもよい。すなわち、感光体ドラム１２を含んだものであれば、如何なる構成要素との組み合わせによっても感光体モジュールＰＭとなり得るが、本実施形態では、感光体モジュールＰＭとＬＰＨ１４とを別体とした構成を前提としている。
【００２２】
一方、ＬＰＨ１４は感光体モジュールＰＭには搭載されておらず、各画像形成ユニット１１は、ＬＰＨ１４を、感光体ドラム１２を露光する露光位置まで進出させ、また、ＬＰＨ１４を、この露光位置よりも感光体ドラム１２から離隔した退避位置に退避させる進退動作部１７を備えている。この進退動作部１７の詳細については後述するが、プリンタ１内には、進退動作部１７に挿入することでＬＰＨ１４を退避させる退避キー７０が、他の要素の邪魔にならないような格納箇所に１つ用意されており、この退避キー７０は、いずれの画像形成ユニット１１の進退動作部１７に対しても挿入自在となっている。
【００２３】
各画像形成ユニット１１は、現像器１５に収納されるトナーを除いて、同じ構成を有している。そして、各画像形成ユニット１１は、それぞれがイエロー（Ｙ）、マゼンタ（Ｍ）、シアン（Ｃ）、黒（Ｋ）のトナー像を形成する。
【００２４】
さらに、画像形成プロセス部１０は、各画像形成ユニット１１の感光体ドラム１２にて形成された各色トナー像が多重転写される中間転写ベルト２０と、各画像形成ユニット１１による各色トナー像を中間転写ベルト２０に順次転写させる一次転写ロール２１と、中間転写ベルト２０上に転写された重畳トナー像を記録材である用紙に一括転写させる二次転写ロール２２と、二次転写された画像を用紙上に定着させる定着器４５を備えている。
【００２５】
このプリンタ１において、画像形成プロセス部１０は、制御部３０から供給される各種の制御信号に基づいて画像形成動作を行う。すなわち、ＰＣ３や画像読取装置４から入力された画像データは、制御部３０による制御の下で画像処理部３５によって画像処理が施され、不図示のインターフェースを介して各画像形成ユニット１１に供給される。そして、例えば黒（Ｋ）色の画像形成ユニット１１Ｋでは、感光体ドラム１２が矢印Ａ方向に回転しながら帯電器１３によって、予め決められた電位に帯電させられ、画像処理部３５から送信された画像データのうち黒色成分の画像を表したデータに基づいて発光するＬＰＨ１４により露光される。これにより、感光体ドラム１２上には、黒（Ｋ）色画像に関する静電潜像が形成される。そして、感光体ドラム１２上に形成された静電潜像は現像器１５により現像され、感光体ドラム１２上には黒（Ｋ）色のトナー像が形成される。同様に、他の色の画像形成ユニット１１Ｙ、１１Ｍ、１１Ｃにおいても、それぞれイエロー（Ｙ）、マゼンタ（Ｍ）、シアン（Ｃ）の各色トナー像が形成される。
【００２６】
各画像形成ユニット１１で形成された各色トナー像は、矢印Ｂ方向に移動する中間転写ベルト２０上に、一次転写ロール２１により順次静電吸引されて、各色トナーが重畳された合成トナー像が形成される。中間転写ベルト２０上の合成トナー像は、中間転写ベルト２０の移動に伴って二次転写ロール２２が配置された領域（二次転写部Ｔ）に搬送される。また、中間転写ベルト２０による合成トナー像の搬送タイミングに合わせて用紙が用紙保持部４０から二次転写部Ｔに供給される。そして、二次転写部Ｔにて二次転写ロール２２により形成される転写電界により、合成トナー像は搬送されてきた用紙上に一括して静電転写される。
【００２７】
その後、合成トナー像が静電転写された用紙は、中間転写ベルト２０から剥離され、定着器４５まで搬送される。定着器４５に搬送された用紙上の合成トナー像は、定着器４５によって熱および圧力による定着処理を受けて用紙上に定着される。そして、定着画像が形成された用紙は、プリンタ１の排出部に設けられた排紙積載部４１に搬送される。
【００２８】
一方、二次転写後に中間転写ベルト２０に付着しているトナー（転写残トナー）は、二次転写の終了後に中間転写ベルト２０表面からベルトクリーナ２５によって除去され、次の画像形成サイクルに備える。このようにして、プリンタ１での画像形成がプリント枚数分のサイクルだけ繰り返して実行される。
【００２９】
図２は、ＬＰＨ１４の構造を示した断面図である。
【００３０】
このＬＰＨ１４は、図１に示すプリンタ１において感光体ドラム１２の下方に配置され、下方から感光体ドラム１２を露光する。
【００３１】
図２に示すように、ＬＰＨ１４は、ハウジング６１と、ＬＥＤアレイ６３と、ＬＥＤ回路基板６２と、ロッドレンズアレイ６４と、ホルダ６５を備えている。
【００３２】
ハウジング６１は、アルミニウム、ＳＵＳ等の金属のブロックまたは板金で形成され、ＬＥＤ回路基板６２を支持している。
【００３３】
ＬＥＤ回路基板６２には、ＬＥＤアレイ６３やＬＥＤアレイ６３を駆動する信号生成回路等が搭載されている。
【００３４】
ロッドレンズアレイ６４は、ＬＥＤアレイ６３からの光を感光体ドラム１２表面に結像させるものであり、感光体ドラム１２の軸方向に沿って配置されるとともに、感光体ドラム１２の回転方向に幅を有して形成されている。また、ロッドレンズアレイ６４には、正立等倍実像を形成する屈折率分布型レンズが複数並べられている。
【００３５】
ホルダ６５は、長尺状に形成されるとともに感光体ドラム１２の軸方向に沿って配置されていて、ハウジング６１およびロッドレンズアレイ６４を支持するとともにＬＥＤアレイ６３を外部から遮蔽している。これにより、ＬＥＤアレイ６３には外部からゴミが付着し難くなっている。また、ホルダ６５は、ＬＥＤアレイ６３の発光点とロッドレンズアレイ６４の焦点面とが一致するようにロッドレンズアレイ６４を支持している。
【００３６】
ここで、上述した進退動作部１７の詳細について説明する。
【００３７】
図３は、進退動作部１７の周辺構造を拡大して示した拡大図である。
【００３８】
進退動作部１７には、軸８１を中心に回転自在な回転部材８０が備えられており、この回転部材８０がＬＰＨ１４を保持している。また、進退動作部１７には、回転部材８０を感光体ドラム１２側へと押す押しバネ９１も備えられている。押しバネ９１が押す力によって回転部材８０およびＬＰＨ１４は感光体ドラム１２側へと押されて軸８１を中心に回転する。そして、ＬＰＨ１４から突き出した位置決めピン６６が感光体ドラム１２の軸受けに突き当たることでＬＰＨ１４と感光体ドラム１２との距離が露光に適切な距離となる。このようにＬＰＨ１４が感光体ドラム１２に対して露光に適切な距離となった位置が露光位置である。
【００３９】
回転部材８０は、アーム８２，８３を有しており、それらアーム８２，８３には、突起８４，８５が設けられている。アーム８２，８３は回転部材８０と一体に回転するが、進退動作部１７には、回転部材８０やアーム８２，８３とは独立に設けられたレール９２，９３が備えられている。このレール９２，９３は、回転部材８０やアーム８２，８３が回転しても移動しないように図１のプリンタ１内で固定されている。なお、ＬＰＨ１４および進退動作部１７は、メンテナンスなどの利便のためにプリンタ１に対して露光モジュールとして着脱自在となっているが、ここでは詳細な説明は省略する。
【００４０】
進退動作部１７のレール９２，９３相互間に設けられている挿入箇所７０’には、上述した退避キー７０が挿入される。ユーザは、例えば感光体モジュールＰＭを交換する場合などのように、ＬＰＨ１４を退避させる必要が生じたら、退避キー７０を上述した格納箇所から抜き出して挿入箇所７０’に挿入する。この挿入箇所７０’が、本発明にいう挿入箇所の一例に相当する。また、押しバネ９１は、本発明にいう付勢部材の一例に相当し、退避キー７０は、本発明にいう退避器具の一例に相当する。
【００４１】
挿入箇所７０’に退避キー７０が挿入されたときの動作について以下説明する。
【００４２】
図４は、挿入箇所７０’に退避キー７０が挿入された状態の正面図であり、図５は、挿入箇所７０’に退避キー７０が挿入された状態の側面図である。図５には、図３，４の右側から見た側面が示されており、図５では感光体ドラム１２などの図示は省略されている。
【００４３】
図４，５には、退避キーが挿入されているもののＬＰＨ１４は露光位置に残っていて、位置決めピン６６が感光体ドラム１２の軸受けに接触したままの状態が示されている。
【００４４】
図５に示す矢印の方向に退避キー７０は挿入される。退避キー７０は、挿入方向の前後に分かれて２つの傾斜板７１，７２が張り出したシンプルな構造となっている。また、回転部材８０が有する２つのアーム８２，８３も、図５に示されているように退避キー７０の挿入方向の前後に分かれて設けられている。そして、挿入方向の後方側に設けられた傾斜板７１は、回転部材８０が有する２つのアーム８２，８３のうち、図３，４の左方に示されたアーム８３に対応し、挿入方向の前方側に設けられた傾斜板７２は、回転部材８０が有する２つのアーム８２，８３のうち、図３，４の右方に示されたアーム８２に対応している。
【００４５】
ユーザによって挿入箇所７０’に挿入された退避キー７０は、レール９２，９３に案内されて図５の右方向へと進む。その結果、２つの傾斜板７１，７２は、それぞれが対応する各アーム８２，８３から突き出している各突起８４，８５へと接近して行く。
【００４６】
図６は、ＬＰＨ１４が退避した状態の正面図であり、図７は、ＬＰＨ１４が退避した状態の側面図である。図７には、図６の右側から見た側面が示されており、図７では感光体ドラム１２などの図示は省略されている。さらに、図６，７ではレール９２，９３の図示が省略されている。
【００４７】
図４，５に示された状態から更に退避キー７０が押し込まれると、図６，７に示された退避状態となる。即ち、退避キー７０が、図示省略されたレールに案内されて図７の右方向へと進むことによって、退避キー７０から張り出した２つの傾斜板７１，７２が、対応する各アーム８２，８３の各突起８４，８５に接触する。そして、ユーザによって退避キー７０が更に押し込まれることにより、各突起８４，８５が各傾斜板７１，７２の傾斜に沿って図６，７の下方へと引き下げられる。その結果、各アーム８２，８３および回転部材８０は、押しバネ９１の力に対抗して、軸８１を中心として回転し、ＬＰＨ１４は、露光位置よりも感光体ドラム１２から離れた退避位置へと移動する。図６に示すように、ＬＰＨ１４の位置決めピン６６も感光体ドラム１２の軸受けから離れていて、感光体モジュールＰＭの交換時にもＬＰＨ１４と感光体ドラム１２との接触は回避される。
【００４８】
感光体モジュールＰＭの交換などが終わると、図６，７に示された状態からユーザによって退避キー７０が引き抜かれる。その結果、各アーム８２，８３の各突起８４，８５は、退避キー７０の各傾斜板７１，７２から開放され、回転部材８０およびＬＰＨ１４は押しバネ９１の力によって押し上げられて、軸８１を中心として図６，７の上方へと回転する。そして、図４に示すように位置決めピン６６が感光体ドラム１２の軸受けに突き当たり、ＬＰＨ１４は再び露光位置へと戻ることとなる。
【００４９】
ところで、図１に示すプリンタ１には４つの画像形成ユニット１１Ｙ、１１Ｍ、１１Ｃ、１１Ｋが備えられているものの、感光体モジュールＰＭの交換などは、一時には１つの画像形成ユニット１１で実行されるものであって、図６，７に示す退避状態が複数の画像形成ユニット１１で同時に必要とされることはない。そのため本実施形態では、退避キー７０は、４つの画像形成ユニット１１Ｙ、１１Ｍ、１１Ｃ、１１Ｋに対して１つだけ用意されることで充分に役割を果たしている。即ち、１つの退避キー７０が４つの画像形成ユニット１１Ｙ、１１Ｍ、１１Ｃ、１１Ｋで兼用されているということになり、その分だけ部品点数が抑制されていると言える。
【００５０】
次に、本発明の第２実施形態について説明する。この第２実施形態は、上述した第１実施形態に対し、進退動作部の構造が異なる点を除くと同様の形態であるので、以下では第１実施形態との相違点に着目して説明を行い、重複説明は省略する。
【００５１】
図８は、第２実施形態における進退動作部を示す図である。
【００５２】
この図８には、図１の右側に相当する方向から見た進退動作部１７’が示されている。
【００５３】
第２実施形態でも第１実施形態と同様にＬＰＨ１４は回転部材８０に保持されており、図示は省略されているが回転部材８０は第１実施形態と同様に押しバネ９１に押されている。第２実施形態の回転部材８０には、図３などに示したようなアーム８２，８３は存在せず、被結合突起８７，８８が突き出している。
【００５４】
また、第２実施形態の場合も、回転部材８０とは独立のレール９５が備えられており、そのレール９５と回転部材８０との間に挿入箇所１００’が設けられている。第２実施形態の場合には、挿入箇所１００’に対して退避器１００が挿入される。この退避器１００は、ユーザが操作レバー１０１を倒すように操作することでＬＰＨ１４を退避させるものである。
【００５５】
退避器１００には、ユーザが操作する上記操作レバー１０１の他に、回転部材８０の被結合突起８７，８８に結合する結合突起１０２，１０３や、操作レバー１０１の操作によって結合突起１０２，１０３を上下動させる機械的機構が組み込まれた機構部１０４が備えられている。この機構部１０４と操作レバー１０１の詳細構造は、上述した特開２０１１−０２０４１４号公報に記載された構造と同等であるため、ここでは詳細説明を省略する。
【００５６】
図８に示す退避器１００は、図１実施形態の退避キー７０と同様に、プリンタに対して着脱自在であって、４つの画像形成ユニット１１Ｙ、１１Ｍ、１１Ｃ、１１Ｋに対して１つだけ用意されていて、それら４つの画像形成ユニット１１Ｙ、１１Ｍ、１１Ｃ、１１Ｋのいずれに対しても着脱自在となっている。この退避器１００が、本発明にいう、機械的な機構を有する退避器具の一例に相当する。
【００５７】
ユーザが挿入箇所１００’に退避器１００を挿入すると、退避器１００はレール９５に案内されて図８の右方へと進む。その結果、退避器１００の結合突起１０２，１０３が回転部材８０の被結合突起８７，８８と結合する。結合突起１０２，１０３と被結合突起８７，８８は、退避器１００の挿入方向の前後に分かれて設けられているが、退避器１００の着脱時に邪魔にならないように、退避器１００の挿入方向前方に設けられた結合突起１０３は背が低く、挿入方向後方に設けられた結合突起１０２は背が高くなっている。退避器１００が奥まで挿入されて結合突起１０２，１０３と被結合突起８７，８８が互いに完全に結合しても、第１実施形態とは異なり、操作レバー１０１が操作されない限りＬＰＨ１４は露光位置のままである。
【００５８】
退避器１００の挿入後に操作レバー１０１が操作されて図８の左側へと倒されると、機構部１０４に組み込まれた機械的機構の動きによって結合突起１０２，１０３が図８の下方へと引き下げられる。その結果、結合突起１０２，１０３と結合した被結合突起８７，８８を介して、回転部材８０およびＬＰＨ１４も図８の下方へと引き下げられることとなる。その結果ＬＰＨ１４は、、図８に示す露光位置よりも感光ドラム１２から離れた退避位置へと移動することとなる。
【００５９】
ＬＰＨ１４が退避位置に退避した状態からユーザが操作レバー１０１を図８に示す位置へと戻すと、結合突起１０２，１０３も図８に示す高さまで戻り、回転部材８０およびＬＰＨ１４も、図示を省略した押しバネの力で図８に示す位置に戻る。このとき第１実施形態と同様に位置決めピン６６が感光体ドラム１２の軸受けに接触することで、ＬＰＨ１４は、感光体ドラム１２に対して露光に適した距離にある露光位置に位置決めされる。
【００６０】
第２実施形態では、退避器１００が挿入箇所１００’に挿入されたままでも、操作レバー１０１の操作でＬＰＨ１４は露光位置に移動する。従って、第２実施形態では、第１実施形態のような、挿入箇所とは別の格納場所は不要であり、４つの画像形成ユニット１１Ｙ、１１Ｍ、１１Ｃ、１１Ｋのいずれかに挿入しておけばよい。
【００６１】
上述したように、第２実施形態でも退避器１００は、４つの画像形成ユニット１１Ｙ、１１Ｍ、１１Ｃ、１１Ｋに対して１つだけ用意されているので、退避器１００が４つの画像形成ユニット１１Ｙ、１１Ｍ、１１Ｃ、１１Ｋで兼用されているということになり、その分だけ部品点数が抑制されていると言える。
【００６２】
以上で本発明の具体的な実施形態の説明を終了する。
【００６３】
なお、上記各実施形態の説明では、本発明の画像形成装置の一実施形態としてタンデム型のカラープリンタを例示したが、本発明の画像形成装置は、レボルバ型のカラープリンタやモノクロプリンタであってもよい。また、本発明の画像形成装置は、プリンタ以外にも、コピー機やファクシミリや複合機であってもよい。
【００６４】
また、上記各実施形態の説明では、本発明にいう付勢部材の例として押しバネが示されているが、本発明にいう付勢部材は、引きバネやゴムであってもよい。
【００６５】
また、上記各実施形態の説明では、露光位置と退避位置との間の移動が、回転軸を中心とした回転移動である例が示されているが、本発明にいう露光位置と退避位置との間の移動は、レールなどに案内される平行移動であってもよい。
【００６６】
また、上記各実施形態の説明では、本発明にいう退避器具を４つの画像形成ユニットに対して１つ備えた例が示されているが、本発明の画像形成装置は、退避器具を４つの画像形成ユニットに対して２〜３備えたものであっても良いし、あるいは１つも備えておらず、必要時にシステムエンジニアなどが用意してもよい。
【符号の説明】
【００６７】
１    プリンタ
１１    画像形成ユニット
１２    感光体ドラム
１４    ＬＥＤプリントヘッド（ＬＰＨ）
１７    進退動作部
７０    退避キー
７０’    挿入箇所
１００    退避器
１００’    挿入箇所
【図１】
2015013377.tif 000003
【図２】
2015013377.tif 000004
【図３】
2015013377.tif 000005
【図４】
2015013377.tif 000006
【図５】
2015013377.tif 000007
【図６】
2015013377.tif 000008
【図７】
2015013377.tif 000009
【図８】
2015013377.tif 000010